(57)【要約】【課題】            伸縮性を有する重ね目によって編込み部を形成し、前記編込み部に挟まれた領域に膨出部を設けた衣料用編地を提供し、また衣類にした場合には、適所に編込み部を編成し膨出部を設けることで、日常生活やスポーツを行う場合などに生じるつっぱり感や窮屈感を軽減させた衣類を提供することを目的とする。【解決手段】        上衣背面１Ｂにおいて、水平方向との角度が４５度で上衣背面の首部右根元を通るライン上の、首部右根元からの距離が３ｃｍの位置より、膨出部の縦幅Ｌ１が１０ｃｍとなるように、コース毎に連続して編込み部１Ｘを編成し、左側についても略左右対称となるように、右側と同様に編み込み部１Ｘを編成し、これにより左右の編込み部１Ｘに挟まれた領域に膨出部１Ｚを設けた上衣１Ａである。【選択図】          図１３
2004204420.tif 000002
【特許請求の範囲】
【請求項１】
編成方法による立体的な膨らみを設けた衣料用編地であって、
基本となる４コースにおいて、
第二コースの最外の編目と第一コースの編目とが重なり目になる編込み部を第二コースの最外の編目に設け、
第三コースの最外の編目と第二コースの編目とが重なり目になる編込み部を第三コースの最外の編目に設け、
前記第二コースに設けた編込み部と第三コースに設けた編込み部とに挟まれた中心側の領域は、第一コースから第四コースまでの４コースとし、
前記第二コースに設けた編込み部よりも外側の領域は、第一コースと第四コースとの２コースとし、
前記第三コースに設けた編込み部よりも外側の領域は、第一コースと第ニコースとの２コースとし、
前記基本となる４コースを繰返し編成することで、前記編込み部に挟まれた中心側の領域に膨出部を設けたことを特徴とする衣料用編地。
【請求項２】
請求項１に記載の衣料用編地を少なくとも一部に含むことを特徴とする衣類。
【請求項３】
横編機によって編成され、前記膨出部を含む衣類全体が一体編成で構成された無縫製型の衣類であることを特徴とする請求項２に記載の衣類。
【請求項４】
前記膨出部を肩、肘、膝、肩甲骨部及び臀部の少なくとも一箇所に設けたことを特徴とする請求項２又は３に記載の衣類。
【請求項５】
上衣背面において、首部右根元と右脇下とを結ぶ線、右脇線の延長線及び右肩線に囲まれた領域内に前記編込み部を複数編成し、
首部左根元と左脇下を結ぶ線、左脇線の延長線及び左肩線に囲まれた領域内に前記編込み部を複数編成し、
前記左右の編込み部に挟まれた領域に膨出部を設けた上衣であることを特徴とする請求項２乃至４のいずれかに記載の衣類。
【請求項６】
請求項５に記載の衣類であって、上衣背面において水平方向に対して４５度中心側に傾斜し、首部右根元を通るライン上に前記編込み部を複数編成し、
水平方向に対して４５度中心側に傾斜し、首部左根元を通るライン上に前記編込み部を複数編成し、
前記左右の編込み部に挟まれた領域に膨出部を設けた上衣であることを特徴とする衣類。
【請求項７】
請求項６に記載の衣類であって、前記首部右根元からの距離が３ｃｍの位置から前記編込み部を複数編成し、且つ前記首部左根元からの距離が３ｃｍの位置から前記編込み部を複数編成し、左右の編込み部に挟まれた領域に膨出部を設けた上衣であることを特徴とする衣類。
【請求項８】
請求項２乃至７のいずれかに記載の衣類であって、膨出部の縦幅が１０ｃｍであることを特徴とする衣類。
【請求項９】
請求項８に記載の衣類であって、前記膨出部の縦幅に比べて膨出部の膨らみ長さが４ｃｍ長いことを特徴とする衣類。
【発明の詳細な説明】
【技術分野】
【０００１】
本発明は、伸縮性を有する編込み部に挟まれた領域に膨出部を設けたことを特徴とする衣料用編地及び前記編地を用いることで運動機能性を高めた衣類に関するものである。
【背景技術】
【０００２】
一般に、シャツなどの上衣をズボンなどの下衣に入れた状態で、着用者が上半身を伸ばしたり捻じったりする場合は、上衣によるつっぱり感や窮屈感を感じると共に、上衣が下衣からはみ出して衣服の着用状態がみだれるといった不具合が生じる。
【０００３】
特にスポーツを行う場合、衣服はみだれ易く、ゴルフを例に挙げて説明すると、ゴルファーはスイングの一連動作（テイクバック、ダウンスイング、フォロースルー）の際に、上半身を左右に大きく捻じり、それに合わせて両腕を大きく振る。そのような運動時には、通常の構成の上衣ではつっぱり感や窮屈感を強く感じることとなる。また、トッププロ等で肩から背中にかけての筋肉（肩甲骨付近の僧帽筋、三角筋、広背筋等）が発達し隆起している人にいたっては、アドレスの姿勢（上半身をやや前傾させ、両腕を前に突き出しクラブを握った姿勢）をとった時点で、上衣によるつっぱり感や窮屈感を感じることとなる。そのような不具合を軽減させるために、アドレスやスイングの際に敢えて下衣から上衣をはみ出させて、上衣にゆとりを与えてプレーする場合も見られるが、上衣をはみ出させた状態は見栄えの良いものではない。
【０００４】
このような問題を解決するためには、着用者の動きや体形に追随する、より高い運動機能性を有する上衣が要求される。上衣の運動機能性を高めるために従来一般的に用いられるのは、以下の二通りの方法である。
１．上衣を構成する部材の一部に伸縮性の大きい生地を用いる方法、すなわち上衣の脇の下、肩や肘の関節付近等、運動が大きくて着用者がつっぱり感を感じ易い領域に、伸縮性の大きい生地部材を配置し、各部材を縫着等によって一体化して上衣を構成する方法と、
２．立体裁断によって上衣を構成する方法、すなわち上衣の形状が着用者の上半身に比較的フィットするように立体裁断のパターンで各部材を裁断し、各部材を縫着等によって一体化して上衣を構成することで着崩れを緩和する方法である。
【０００５】
しかしながら、前記１．の伸縮性の大きい生地を用いる方法では、通常の生地部材と伸縮性の大きい生地部材との縫着部分に対して、着用者がごろつき感や違和感を覚えて着心地が良くないといった問題や、伸縮性の大きい生地部材が通常の生地部材とは見栄え（光沢）が異なってしまうといった意匠的な問題があった。
また、前記２．の立体裁断による方法では、部材と部材との縫着部分に対して、前記１．の方法と同様に着用者がごろつき感や違和感を覚えて着心地が良くないといった問題や、運動機能性を高めるためにはパターンが複雑化するので多数の部材を縫着する必要があり、製造コストや手間がかかるといった問題があった。
【０００６】
前記の二通りの方法に共通する縫着部分に対する問題を解消する方法としては、横編機を用いて衣類全体を無縫製で編成する方法がある（特許文献１参照。）。このように衣類全体を無縫製で編成すれば縫着部分はなくなるので、ごろつき感等の問題は解消される。
また、無縫製型の衣類の運動機能性をさらに高める方法としては、肘等の屈伸部分にＡ．伸縮性を有するパール編みによって伸縮部を設ける方法、Ｂ．度目調整で編地のループ長を変更させて伸縮部を設ける方法、Ｃ．引き返し編みによって膨らみ部を設ける方法が開示されている（同じく特許文献１参照。）。
【特許文献１】特開平１１−２４１２０５号公報
【発明の開示】
【発明が解決しようとする課題】
【０００７】
しかしながら、前記Ａ．Ｂ．Ｃ．の三種類の方法には以下のような不具合がある。Ａ．パール編みは、両面とも表編と裏編が１段おきになっている横縞模様となる編み方で、表目と裏目を段毎に交互にウェール配列して編むことで縦方向に伸張性を出している。しかし、パール編みの組織では伸長性が不十分であることや編み設計上、度目を詰めることが難しいために縦方向の安定性が悪く、洗濯等によってパール編み部分が変形する場合がある。
Ｂ．度目調整で編地のループ長を変更させて伸縮部を設ける方法では、度目をゆるくしてループを長くした場合に、編み目がルーズになり変形（型崩れ）し易くなる。また度目をゆるくしてループを長くした部分は見た目も悪くなる。
Ｃ．一般に引き返し編みは、引き返し部分をタックにて形成している為、タック部分が伸縮性に乏しくつっぱりを感じる。また伸張性が乏しい為に強度的にも問題がある。
また、上衣だけでなく下衣においても、同様に運動機能性を高めた衣類が求められている。
【０００８】
そこで本発明は、前記従来技術の問題点を解消するために、伸縮性を有する重ね目によって編込み部を形成し、前記編込み部に挟まれた領域に膨出部を設けた衣料用編地を提供し、また衣類にした場合には、適所に編込み部を編成し膨出部を設けることで、日常生活やスポーツを行う場合などに生じるつっぱり感や窮屈感を軽減させた衣類を提供することを目的とする。
【課題を解決するための手段】
【０００９】
前記課題を解決するため、本発明の衣料用編地は、編成方法による立体的な膨らみを設けた衣料用編地であって、
基本となる４コースにおいて、前記基本となる４コースは編成される順に第一コースから第四コースとした場合、
（ア）第二コースの最外の編目と（イ）第一コースの編目とが重なり目になる編込み部を第二コースの最外の編目に設け、
（ウ）第三コースの最外の編目と（エ）第二コースの編目とが重なり目になる編込み部を第三コースの最外の編目に設け、
前記第二コースに設けた編込み部と第三コースに設けた編込み部とに挟まれた中心側の領域は、第一コースから第四コースまでの４コースとし、
前記第二コースに設けた編込み部よりも外側の領域は、第一コースと第四コースとの２コースとし、
前記第三コースに設けた編込み部よりも外側の領域は、第一コースと第ニコースとの２コースとし、
前記基本となる４コースを繰返し編成することで、前記編込み部に挟まれた中心側の領域に膨出部を設けたことを特徴とする衣料用編地である。
【００１０】
前記（ア）第二コースの最外の編目とは、第二コースから第三コースに移行する際に第ニコースで最後に編成する編目のことである。
前記（イ）第一コースの編目とは、前記第二コースに設けた編込み部よりも一目分外側の第一コースの編目のことである。
同じく、
前記（ウ）第三コースの最外の編目とは、第三コースから第四コースに移行する際に第三コースで最後に編成する編目のことである。
前記（エ）第ニコースの編目とは、前記第三コースに設けた編込み部よりも一目分外側の第ニコースの編目のことである。
【００１１】
また、本発明の衣類は、前記衣料用編地を少なくとも一部に含むことを特徴とする衣類である。
【発明の効果】
【００１２】
本発明の衣料用編地はコース数を増やす際に設ける編込み部を重ね目とすることで、伸縮性を有しているので、通常の引き返し編み等のタックと比べてつっぱり感を感じにくい。
本発明の衣類では肩、肘、膝、臀部等の運動が大きい領域に、膨出部を設けることで、つっぱり感や窮屈感を軽減させ、運動機能性を高めた衣類とすることができる。
また無縫製型の衣類とした場合は、ごろつき感が少なく、着心地に優れた衣類とすることができる。
【発明を実施するための最良の形態】
【００１３】
以下、本発明を実施の形態について詳細に説明する。
【００１４】
本発明の衣料用編地及び衣類は丸編み機、縦編み機、横編み機等によって編成が可能である。
【００１５】
本発明でいう衣類とはシャツ、セーター、ベスト、ブルゾン、ジャケット、肌着、その他各種の上衣と、ズボン、タイツ、肌着、その他各種の下衣のことである。
【００１６】
本発明の衣類は、前記衣料用編地を少なくとも一部に含むことを特徴とする衣類であるが、具体的には、膨出部を含む立体的な部分と平面的な編みで編成した部分とを縫製で一体化し構成したものである。例えば上衣において、膨出部を背中部分に設けたベスト形の身頃部分と全体を平面的な編みで編成した袖部分とを縫製で一体化する方法や、膨出部を含む身頃部分と袖部分とを一体編成した無縫製の衣類本体部分と襟部分などのパーツとを縫製で一体化する方法がある。
【００１７】
または、膨出部をそれぞれ含む複数の部分を縫製で一体化してもよい。例えば上衣において、膨出部を背中部分に設けたベスト形の身頃部分と膨出部を肘部分に設けた袖部分とを縫製で一体化する方法がある。
【００１８】
また、本発明の衣類は、横編機によって編成され、膨出部を含む衣類全体を一体編成した無縫製型の衣類とすることもできる。
【００１９】
本発明の衣類では、膨出部を肩、肘、膝、肩甲骨部及び臀部の少なくとも一箇所に設けたことを特徴とする。衣類中において膨出部を設ける個所は特に限定されるものではないが、前記のように運動によってつっぱり感を感じ易い部分に設けることが好ましい。
【００２０】
本発明にかかる衣類では、上衣背面において、首部右根元と右脇下とを結ぶ線、右脇線の延長線及び右肩線に囲まれた領域内に前記編込み部を複数繰返して編成し、
首部左根元と左脇下を結ぶ線、左脇線の延長線及び左肩線に囲まれた領域内に前記編込み部を複数繰返して編成し、
左右の編込み部に挟まれた領域に膨出部を設けた上衣であることを特徴とする。
前記の領域に膨出部を設ければ、背中から肩にかけての発達した筋肉に膨出部を宛がうことができる。
本発明の説明では、人体の各部位で上衣の各部分を表現しているが、これは上衣を着用した際の着用者の各部位に該当する部分を表している。
【００２１】
本発明にかかる衣類では、膨出部の縦幅が１０ｃｍであることが好ましい。膨出部の縦幅とは、図４（ｂ）の上衣の断面図に示したように、膨出部の端部から端部までのコース間距離である。
【００２２】
本発明にかかる衣類では、前記膨出部の縦幅に比べて膨出部の膨らみ長さが４ｃｍ長いことが好ましい。膨出部の膨らみ長さとは、図４（ｂ）の上衣の断面図に示したように、膨出部の実際の長さのことである。
【００２３】
次に、本発明の衣料用編地の膨出部の編成方法の一例を、筒型の編物を使って具体的に説明する。
図１は組織図であり、以下の説明に用いる数字１〜２０は編み番号である。また編み番号１０、１１側を中心側、編み番号１、２０側を外側とする。
【００２４】
図２、図３の編み方図においては、図中の実線で表した編目はその工程で編成した、または移動させた編目であり、点線で表した編目はその工程では動きのなかった編目である。矢印Ａは編みの方向を、矢印Ｂは編目の移動の方向をそれぞれ示している。
本工程での筒型の編物は下から上に向かって編成される。前身頃と後身頃のそれぞれの上下方向は矢印Ｃの方向に示す。
【００２５】
記号「Ｍ−Ｎ」は、下記（Ｍ）の工程で編み番号Ｎによって編成された編目を表している。例えば「３−４」は、下記（３）の工程において編み番号４によって編成された編目を表している。
【００２６】
本工程の編成には、横編み成形機を用いた。
（１）後身頃の１−１から１−２０までの編目を編成し、前身頃の１−２０から１−１までの編目を編成することで時計回りの袋編みを編成する。（後身頃の１−１から１−２０までの編目を第一コースとする。）
（２）後身頃の２−１から２−１５までの編目を編成した後、後身頃の２−１５の編目と１−１６の編目とで重なり目を形成すると共に後身頃の１−１７から１−２０までの編目を一目中心側へ移す。この時１−１６の編目と２−１５の編目とはループ形状を維持したまま一体化される。本発明ではこのような編成方法を「重なり目」とし、重なり目になる部分を編込み部Ｘとする。（後身頃の２−１から２−１５までの編目を第二コースとし、２−１５の編目を最外の編目及び編込み部Ｘとする。）
（３）後身頃の３−１５から３−７までの編目を編成した後、後身頃の３−６の編目と２−５の編目とで重なり目を形成すると共に後身頃の２−１から２−４までの編目を一目中心側へ移す。この時２−５の編目と３−６の編目とはループ形状を維持したまま一体化される。（後身頃の３−１５から３−７までの編目を第三コースとし、３−６の編目を最外の編目及び編込み部Ｘとする。）
（４）後身頃の４−６から４−１９までの編目を編成する。前記（２）の工程で外側の編目を一目中心側に移しており外側は一目分編目が少ないので、４−１９までの編目となる。（後身頃の４−６から４−１９までの編目を第四コースとする。）
（５）前身頃の５−２０から５−１までの編目を編成した後、５−１から５−５までの編目及び、５−１６から５−２０までの編目を一目中心側へ移す。このように前身頃の外側の編目を中心側へ一目移すのは、後身頃の編目に合わせるためであるが、必ずしも移す必要はない。
【００２７】
前記の工程で編成した筒型の編物は、後身頃の編込み部Ｘに挟まれた中心側（編み番号６〜１５）は４コース、編込み部Ｘより左右の外側（編み番号１〜５と１６〜２０）及び前身頃は２コースとなる。
【００２８】
本発明の衣料用編地及び衣類では、編込み部Ｘに挟まれたコース数の多い領域を膨出部とし、編込み部Ｘよりも外側などの通常の平面的な編みの部分を平面部とする。編込み部は膨出部に含まれるものとする。
【００２９】
本発明の編込み部は、二つの編目（例えば、２−１５と１−１６）がループ形状を維持したまま一つの編目に一体化されるので伸縮性を有する。従って、通常のタックを用いた編み増し等に比べて、つっぱり感を感じにくい。
【００３０】
前記の工程では、前身頃及び後身頃の編み番号は１〜２０としたが、もちろんこれに限定されるものではなく、衣類のサイズ等によって編み番号の数は任意であってよい。また、編込み部を設ける位置についても必要に応じて変更が可能である。
【００３１】
前記の工程を繰り返し連続して編成すれば、一定領域において膨出部のコース数が平面部のコース数に対して２倍となり膨らみを大きくすることができる。編込み部Ｘを編成するコースの数を増やせば、膨出部の膨らみはそれに比例して大きくなる。
【００３２】
前記工程では筒型の編地を示したが、本発明の衣料用編地及び衣類では、少なくとも前記工程の後身頃で説明した第一コースから第四コースまでの基本となる４コースの構成を含んでいれば良く、筒型に限定はされるものではない。
【００３３】
図４（ａ）は上衣背面１０Ｂに、図２、図３に示した膨出部をコース毎に連続して繰り返し編成した上衣１０Ａの背面図、図４（ｂ）は図４（ａ）中のＡ−Ａ線断面図である。なお図４（ｂ）では上衣１０Ａの背面部分（後身頃）のみを示している。
図４（ａ）では編込み部１０Ｘを太線で表しているが、これは図２、図３に示したコース毎の編込み部を線で結び模式的に示したものである。編込み部をコースごとに連続して設けるためには、コース内で編目を１つ中心側に移して行く必要があるので、コースを重ねるごとに編込み部は中心側に移動して行く。従って、水平方向Ｄ２０に対しする編込み部の方向Ｄ１０は、中心側に傾斜してくこととなる。（図中の角度αは９０度より小さくなる。）
編込み部を非連続に設ける場合は前記のαを９０度以上とすることも可能であるが。見栄えを良くし、より機能的とするためには、編込み部を連続して設ける方がよい。
【００３４】
左右に設けた編込み部１０Ｘに挟まれた中心側の領域が膨出部１０Ｚとなる。膨出部１０Ｚ以外の上衣背面１０Ｂ部分（後身頃）及び上衣正面部分（前身頃）は、通常の上衣と同様に平面的に編成する（平面部１０Ｙとする。）。
【００３５】
図４（ｂ）を用いて説明すると、膨出部の膨らみ長さＬ１１は膨出部の縦幅Ｌ１０に比べて長くなる（Ｌ１０＜Ｌ１１）。例えばＬ１０が１０ｃｍの場合Ｌ１１は１４ｃｍとなる（４ｃｍ分膨らんでいる。）。平面部１０Ｙのコース数に対して膨出部１０Ｚのコース数は２倍となっているが、膨出部の縦幅Ｌ１０に対して膨出部の膨らみ長さＬ１１が２倍とならない（Ｌ１０が１０ｃｍの場合、Ｌ１１が２０ｃｍとならない）のは、膨出部１０Ｚでは平面部１０Ｙに比べてコースとコースとの間隔が密になっているからである。
なお最適な膨らみ長さについては後述する。
【００３６】
編込み部の方向と水平方向との角度αの値は、９０度より小さければ特に限定されるものではなく、編込み部の位置を変えることで任意に変更が可能である。図５（ａ）では水平方向との角度αが６０度、図５（ｂ）では水平方向との角度αが４５度の場合を示している。
【００３７】
編込み部１０Ｘを結んだ線の形状は前記のような１本の直線状に限らず、前記の角度αを途中で変更することも可能である。例えば図６（ａ）、図６（ｂ）のように６０度の直線と８５度の直線とを組み合わせたり、図７（ａ）、図７（ｂ）のように４５度の直線と６０度の直線とを組み合わせたりすることができる。水平方向との角度αの組み合わせは図示したものに限らず任意の値で可能である。また図８（ａ）、図８（ｂ）のように曲線状とすることも可能である。
また編込み部を結んだ線は、図５〜図８に示した形状を複数組み合わせることも可能であるし、右側と左側とで非対称とすることも可能である。
【００３８】
編込み部を結んだ線は、前記のように様々な形状に編成が可能であるが、線の形状に関わらず膨出部の縦幅Ｌ１０が一定であれば、膨出部の膨らみ長さＬ１１も一定である。
膨出部の縦幅Ｌ１０を広くすれば（膨出部を編成するコースの数を増やせば）、膨らみ長さＬ１１を大きくすることができる。
【００３９】
膨出部の膨らみ長さは次のように調節することができる。
コース毎に連続して膨出部を編成するだけでなく、例えば、図９のように通常の平面的な編みのコースＣ１と膨出部を編成した基本となる４コースＣ２とを混合して編成すれば、コース毎に連続して膨出部を編成した場合と比べて、膨らみ長さを短くすることができる。
両者を混合させる比率を変化させて、膨らみ長さを調整することが可能である。本発明でいう膨出部とは、コース毎に基本コースを連続して膨出部を編成した場合だけでなく、このように平面的な編みのコースと膨出部を編成した基本コースとの両者を混合させた場合も含むものとする。
【００４０】
次にゴルフプレー時に上衣によるつっぱり感や窮屈感を感じる領域について、図１５に示した人体図を使って説明する。
まず人体図の各部位について説明すると、左右の肩甲骨部７Ｅとは、左右の肩甲骨７Ａおよび左右の肩甲骨７Ａ付近の筋肉であって、肩甲骨７Ａの動きに付随して動く、僧帽筋外側部７Ｂ、広背筋上部７Ｃおよび三角筋内側部７Ｄを含む領域のことである。
【００４１】
前記僧帽筋外側部７Ｂとは、後頚部から肩そして背部にまで広がり、頭部や背筋を安定させ、肩甲骨を動かし固定する僧帽筋のうち、図１５に示すように首筋から肩に向かう領域と肩甲骨の上側及び内側（中間部７Ｆ側）に位置し肩甲骨の動きに付随して動く領域のことである。この領域は肩のトレーニング等で筋肉が発達した際には大きく隆起する。
【００４２】
前記広背筋上部７Ｃとは、脇の下から背中全体に広がり、脊柱の位置を決め上体を保つために必要な広背筋のうち、図１５に示すように肩甲骨の下側に位置し肩甲骨の動きに付随して動く領域のことである。
【００４３】
前記三角筋内側部７Ｄとは、肩から上腕の上部にかけて膨らみをつけ、肩甲骨、鎖骨と上腕骨とを結び、肩の関節を回旋させ腕を持ち上げる役割を果たす三角筋のうち、図１５に示すように肩甲骨の外側に位置し肩甲骨の動きに付随して動く領域のことである。
【００４４】
肩甲骨部７Ｅを前記三種類の筋肉の各部分で特定したが、実際の肩甲骨部７Ｅには前記三種類の筋肉以外の大円筋、小円筋、棘下筋等の筋肉も存在する。本発明ではそれらの筋肉は広背筋上部７Ｃに含まれるものとする。
【００４５】
ゴルフスイングの一連動作（テイクバック、ダウンスイング、フォロースルー）の際に、着用者は上半身を左右に大きく捻じり、それに合わせて両腕を大きく振るので、前記左右の肩甲骨７Ａおよび肩甲骨部７Ｅに含まれる前記各種筋肉が大きく可動する。その際に左右の肩甲骨部７Ｅは、上衣によるつっぱり感や窮屈感を強く感じる領域である。
また、アドレス姿勢をとる際には、上半身をやや前傾させ、両腕を前に突き出した状態となるので、前記左右の肩甲骨部７Ｅに加えて左右の肩甲骨部７Ａに挟まれた中間部７Ｆにもつっぱり感や窮屈感を感じることになる。
前記の各種筋肉がトレーニングなどによって発達し隆起している場合は、上衣によるつっぱり感や窮屈感をより強く感じることになる。
【００４６】
従って図１０に示すように、本発明の上衣４０は前記説明した左右の肩甲骨部７Ｅ及び中間部７Ｆが含まれる上衣背面４１の上部領域４２全体、もしくは上部領域４２内の一定領域に膨出部を設けることで、前記のつっぱり感や窮屈感を効果的に軽減させるものである。（図１０では上衣の着用状態を理解するために人体図を重ねている。）
前記上部領域４２とは、上衣４０を襟から裾までの距離において上下に二分した際の上半分の領域である。
【００４７】
上衣背面の上部領域が膨らむようにするには、図１１に示した上衣５０のように、脇線の最下点５１から肩線５２に至るまで、左右対称に編込み部５Ｘを連続して編成し、左右の編込み部５Ｘに挟まれた領域に膨出部５Ｚを設ける。
【００４８】
上衣背面の上部領域内の一定領域が膨らむようにする場合は、
図１２に示した上衣６０のように、首部右根元と右脇下とを結ぶ線６１、右脇線の延長線６２及び右肩線６３に囲まれた領域内と、
首部左根元と左脇下とを結ぶ線６４、左脇線の延長線６５及び左肩線６６に囲まれた領域内とにそれぞれ、編込み部６Ｘを連続して編成し膨出部６Ｚを設けることが好ましい。そうすれば筋肉の隆起が大きい僧帽筋外側部に膨出部６Ｚを宛がうことができる。前記領域内に編成する編込み部６Ｘの形状は、図５〜図８で説明したところの形状とすることができる。
【実施例１】
【００４９】
実施例１について図１３（ａ）の背面図及び図１４の要部拡大図を用いて説明する。図１３（ｂ）は図１３（ａ）中のＡ−Ａ線断面図であり、上衣１Ａの背面部分（後身頃）のみを示している。
本実施例の上衣１Ａは横編機（横編みの無縫製機：ＦＩＲＳＴ−Ｘ  株式会社島精機製作所製）によって全体を無縫製型に編成した。
膨出部１Ｚ以外の部分は、通常の上衣同様平面的に編成した（平面部１Ｙとする。）。
【００５０】
上衣の編成に用いる繊維は天然繊維、合成繊維等であって特に限定はされない。例えば季節的に冬用の上衣にはウール、夏用の上衣には綿やポリエステルが好ましい。本実施例ではウールを用いた。
【００５１】
ゲージ数は任意で選択できるが、５ゲージ以下で編成した場合は、生地が分厚くなり過ぎるために衣類には相応しくない。厚手の上衣の編成には７ゲージから１８ゲージまでが適しており、薄手の上衣の編成には２０ゲージから３２ゲージまでが適している。本実施例では１２ゲージで編成した。
【００５２】
糸番手は、前記のゲージに合った番手を使用すればよく、前記の７ゲージから１８ゲージまでを使用し厚手の上衣を編成する場合には、１／５番手から２／６４番手（毛番手）が最適であり、前記の２０ゲージから３２ゲージまでを使用し薄手の上衣を編成する場合には、２０／１番手から１２０／２番手（綿番手）が最適である。本実施例では２／５２番手の糸を２本使用した。
【００５３】
編み組織については天竺、リブ、鹿の子等が可能であり、特に限定はされない。本実施例では天竺とした。
【００５４】
上衣背面１Ｂにおいて編込み部１Ｘを編成する位置について図１４を用いて説明する。水平方向との角度α１が４５度で上衣背面の首部右根元１Ｃを通るライン１Ｄ上において首部右根元１Ｃからの距離Ｌ３が３ｃｍの位置より、膨出部の縦幅Ｌ１が１０ｃｍとなるように連続して編込み部１Ｘを編成した。左側についても略左右対称となるように、右側と同様に編込み部１Ｘを編成した。これにより左右の編込み部１Ｘに挟まれた領域に膨出部１Ｚを設けることができる。膨出部１Ｚの縦幅Ｌ１は１０ｃｍであり、膨出部の膨らみ長さＬ２は１４ｃｍである。（４ｃｍ分膨らんでいる。）
前身頃については、図３（５）の工程で説明したところと同様に、後身頃の編目に合わせて、編目を中心側に移した。
【００５５】
最適な膨らみ長さについて説明する。ゴルファーはアドレス姿勢をとる際、上半身を直立状態からやや前傾させて首を下に傾けた姿勢となる。この前傾姿勢をとることで着用者の背中の皮膚が直立姿勢時よりも縦方向に伸張する。図１６に示すように、伸張の度合いは身長１７０ｃｍ〜１８０ｃｍの男性の場合、背骨線７Ｋ上において、首筋の髪の毛の生え際７Ｌから両脇下を結ぶ直線７Ｍまでの縦方向（矢印７Ｎの方向）に約３〜５ｃｍ（平均で約４ｃｍ）程度伸びることが測定から分かったので、本実施例では前記のように膨出部の膨らみが４ｃｍとなるようにした。
また、本実施例の仕様では膨出部の膨らみ長さＬ２を１４ｃｍとするためには、膨出部の縦幅Ｌ１を１０ｃｍとする必要がある。
【００５６】
１０人のゴルファーに実施例１の上衣及び以下の従来品１〜従来品４の上衣をゴルフプレー時に着用してもらい、つっぱり感、ごろつき感、着心地に関するアンケートを行った。結果を表１から表３に示す。各アンケートは５段階評価であり、評価が高い方から５点、４点、３点、２点、１点である。
【００５７】
（従来品１）
実施例１と同様のスペックの平面的な編地を用いて前身頃、後身頃、袖部分を別々に構成し、各部材を縫着によって構成した上衣。
【００５８】
（従来品２）
実施例１と同様のスペックの平面的な編地を用いて前身頃、後身頃、袖部分を別々に構成し、後身頃の肩甲骨付近のみに伸縮の大きい生地部材を配置し、各部材を縫着により一体化した上衣。
【００５９】
（従来品３）
実施例１と同様のスペック平面的な編地を用いて、着用者の上半身にフィットするように立体裁断のパターンで各部材を裁断し縫着によって一体化した上衣。
【００６０】
（従来品４）
実施例１と同様のスペックの編地を用いて全体を無縫製型で構成した上衣とし、肩甲骨付近にパール編みによる伸縮部を設けた上衣。
【００６１】
つっぱり感に関するアンケートは以下の表１のようになった。（高得点なほどつっぱり感が少ない）
【００６２】
【表１】
2004204420.tif 000003
【００６３】
従来品１は平面的であるためつっぱり感を非常に感じやすい。また従来品４のパール編みでは伸縮性が不十分であり、同じ無縫製型でも実施例１の方がつっぱり感を感じにくい。
【００６４】
ごろつき感に関するアンケートは以下の表２のようになった。（高得点なほどごろつき感が少ない）
【００６５】
【表２】
2004204420.tif 000004
【００６６】
従来品１、従来品２、従来品３の順に上衣を構成する部材の数が増加し、それに伴い縫着部分が増えるので、ごろつき感を感じやすくなる。従来品４及び実施例１は上衣全体が無縫製で編成されるのでごろつき感は少ない。
【００６７】
着心地に関するアンケートは以下の表３のようになった。（高得点なほど着心地がよい）
【００６８】
【表３】
2004204420.tif 000005
【００６９】
総合的な着心地でみても、実施例１は従来品１〜従来品４よりも優れている。
【００７０】
以上のアンケート結果から分かるように、実施例１は各種従来品に比べて、膨出部を有し、かつ膨出部を形成する編込み部自体も重ね目によって伸縮性を有するためにつっぱり感を感じにくく、全体が無縫製で編成されるのでごろつき感が低減され、着心地に優れた上衣とすることができる。
【００７１】
前記の実施例では、膨出部の膨らみ長さは膨出部の縦幅に比べて４ｃｍ長くしたが、もちろん４ｃｍに限らず着用者の体形に応じて調整することができる。また目的に応じて膨らみ長さを調整することも可能である。
膨らみは僅かでもあればつっぱり感の軽減に繋がるが、実際に体感できるレベルとしては、膨出部の縦幅に比べて２ｃｍ以上の膨らみ長さが必要である。逆に膨らみが大き過ぎるとだぶりが生じて見た目が悪くなるので、膨らみ長さは６ｃｍ以下であることが好ましい。
【００７２】
本実施例の説明では、袖部分は、半袖状態のものを示したが、本発明の上衣は勿論半袖に限らず、長袖、七部袖、袖部分のない形状のシャツ（ノースリーブタイプ）等、袖の長さは必要に応じて任意であってよい。長袖の場合は肘部分に膨出部を設けてもよい。
襟部分の形状についても、本実施例で示したＴシャツ形状に限らず、シャツカラー、フラットカラースタンドカラーやハイネックカラー、タートルネックカラーやフード（頭巾）等必要に応じて任意であって良い。
【００７３】
本発明の説明では上衣、特にゴルフ用の上衣について詳しく説明したが、ゴルフ用以外の上衣についても必要に応じて適所に膨出部を設けることができるのはもちろんのこと、下衣についても運動が大きい膝や臀部等に膨出部を設けることで、運動時に生じるつっぱり感や窮屈感を軽減させ、運動機能性を高めた下衣とすることができる。
【図面の簡単な説明】
【００７４】
【図１】図１は膨出部の編成方法の工程の一例を示した組織図である。
【図２】図２は図１の工程の編み方図である。
【図３】図３は図１の工程の編み方図である。
【図４】図４（ａ）は上衣背面に、コース毎に連続して膨出部を編成した上衣の背面図、図４（ｂ）は図４（ａ）中のＡ−Ａ線断面図である。
【図５】図５（ａ）は編込み部を結んだ線と水平方向との角度が６０度、図５（ｂ）は同じく４５度の場合の拡大背面図である。
【図６】図６（ａ）及び図６（ｂ）は編込み部を結んだ線が６０度の場合と８５度の場合とを組み合わせた拡大背面図である。
【図７】図７（ａ）及び図７（ｂ）は編込み部を結んだ線が４５度の場合と６０度の場合とを組み合わせた拡大背面図である。
【図８】図８（ａ）及び図８（ｂ）は編込み部を結んだ線が曲線の場合の拡大背面図である。
【図９】図９は平面的な編みのコースと膨出部を編成したコースとを交互に編成した場合の部分拡大図である。
【図１０】上衣背面の上部領域図の説明図である。
【図１１】上衣背面の上部領域全体が膨らむように膨出部を設けた上衣の背面図である。
【図１２】上衣背面の上部領域内の一定領域が膨らむように膨出部を設けた上衣の背面図である。
【図１３】図１３（ａ）は実施例１の上衣の背面図、図１３（ｂ）は図１３（ａ）中のＡ−Ａ線断面図である。
【図１４】図１４は実施例１の要部拡大背面図である。
【図１５】図１５は本発明の上衣に関係する骨格と筋肉を示した解説図である（人体後側から見たもの）。
【図１６】図１６は背中の皮膚の伸張の解説図である。
【符号の説明】
【００７５】
１〜２０  編み番号
Ｘ、１Ｘ、５Ｘ、６Ｘ、１０Ｘ  編込み部
１Ｙ、１０Ｙ  平面部
１Ｚ、５Ｚ、６Ｚ、１０Ｚ  膨出部
１Ａ、１０Ａ、４０、５０、６０  上衣
１Ｂ、１０Ｂ、４１  上衣背面
１Ｃ  首部右根元
１Ｄ  ライン
４２  上部領域
５１  最下点
５２  肩線
６１  首部右根元と右脇下とを結ぶ線
６２  右脇線の延長線
６３  右肩線
６４  首部左根元と左脇下とを結ぶ線
６５  左脇線の延長線
６６  左肩線
７Ａ  肩甲骨
７Ｂ  僧帽筋外側部
７Ｃ  広背筋上部
７Ｄ  三角筋内側部
７Ｅ  肩甲骨部
７Ｆ  中間部
７Ｋ  背骨線
７Ｌ  生え際
７Ｍ  直線
７Ｎ  縦方向
Ｃ１  平面的な編みのコース
Ｃ２  膨出部を編成したコース
Ｄ１０  編込み部の方向
Ｄ２０  水平方向
Ｌ１、Ｌ１０  膨出部の縦幅
Ｌ２、Ｌ１１  膨出部の膨らみ長さ
Ｌ３  距離
α、α１  角度
【図１】
2004204420.tif 000006
【図２】
2004204420.tif 000007
【図３】
2004204420.tif 000008
【図４】
2004204420.tif 000009
【図５】
2004204420.tif 000010
【図６】
2004204420.tif 000011
【図７】
2004204420.tif 000012
【図８】
2004204420.tif 000013
【図９】
2004204420.tif 000014
【図１０】
2004204420.tif 000015
【図１１】
2004204420.tif 000016
【図１２】
2004204420.tif 000017
【図１３】
2004204420.tif 000018
【図１４】
2004204420.tif 000019
【図１５】
2004204420.tif 000020
【図１６】
2004204420.tif 000021